(57)【特許請求の範囲】
【請求項１】
軒下に設置され、屋根板からの雨水を建物外壁面へ導くための軒下導水部材であって、屋根板の下方に取付固定される上方固定部と、この上方固定部から屋根板前方へ延出する延出部と、この延出部から建物外壁面へと斜め下方に向って延設され、かつ建物外壁面へ近づくに従って急勾配に形成された傾斜部と、傾斜部から建物外壁面に沿って上向きに屈曲して延設される壁面当接部とを有することを特徴とする軒下導水部材。
【請求項２】
壁面当接部は、先端が下向きに折り返して形成された係合爪を有し、この係合爪は、建物外壁面に突設された係合受部材への取り付けが可能とされていることを特徴とする請求項１に記載の軒下導水部材。
【発明の詳細な説明】
【技術分野】
【０００１】
本発明は、軒下に設置され、屋根板からの雨水を建物外壁面に導くための軒下導水部材に関するものである。
【背景技術】
【０００２】
従来より、建物外壁面に親水層を形成し、この建物外壁面への散水によって表面を効果的に洗浄し、建物外壁面を清浄に維持する試みがなされている（例えば、特許文献１）。さらに、このような建物外壁面は、散水に伴う水の蒸発によって冷却効果を発揮させることで建物の温度を下げ、省エネルギー化を図ることも提案されている。
【０００３】
さらに、本出願人は、軒樋で受けた雨水を導水部により建物外壁面に導き、雨水を建物外壁面上を覆うように流下させることで建物の住環境を維持可能とした雨樋装置を提案している（特許文献２）。
【先行技術文献】
【特許文献】
【０００４】
【特許文献１】特開２００６−１７７１４６号公報
【特許文献２】特開２００７−１７００２５号公報
【発明の概要】
【発明が解決しようとする課題】
【０００５】
しかしながら、図５に例示したように、建物Ｈの軒下には、通常、鼻板１１および軒天井１２が設けられ、鼻板１１には軒樋１３が取り付けられている。そして、雨が降ると、雨水は野地材１６と屋根板１７との間に挿入、固定して取り付けられた水切り部材１８を介して、軒樋１３、呼び樋１４および竪樋１５を通じて排水される。
【０００６】
したがって、特許文献１に記載された発明のように建物外壁面Ｗに親水層を形成した場合、軒下付近の建物外壁面Ｗには、雨がかかり難く、親水層による洗浄作用が十分に発揮し難いという問題があった。特に建物外壁面Ｗが金属サイディング材で構成されている場合には、雨がかかり難い軒下付近では、汚染物質が蓄積しやすく、錆が発生することもあった。
【０００７】
一方、特許文献２の雨樋装置のように、軒樋で受けた雨水を建物外壁面に導く場合には、軒下付近の建物外壁面の洗浄は可能であると考えられる。しかしながら、特許文献２の雨樋装置では、雨水を建物壁面に導く導水部の建物外壁面近傍に、雨水を貯える雨水タンクを略水平に設けている。そして、この雨水タンクには、長手方向に沿うように開口部が設けられ、貯えた雨水が随時排水されて、建物外壁面を覆うように流れ落ちるようにされている。このため、特許文献２の雨樋装置は、雨水とともに落ち葉などのゴミが雨水タンクに流れ込んだ場合には雨水タンクの開口部が閉鎖され、開口部からの雨水の排水が円滑に行われない場合があった。さらに、特許文献２の雨樋装置は、雨水タンクの開口部が閉鎖された場合のメンテナンスに手間がかかる場合があった。また、導水部および雨水タンクの設計がやや複雑であるため、製造コストを抑制することも容易ではなかった。
【０００８】
本発明は、以上のような事情に鑑みてなされたものであり、屋根板からの雨水を軒下付近の建物外壁面に円滑に導くことができ、メンテナンスの負担が少なく、製造コストも抑制された新しい軒下導水部材を提供することを課題としている。
【課題を解決するための手段】
【０００９】
上記課題を解決するため、本発明は、軒下に設置され、屋根板からの雨水を建物外壁面へ導くための軒下導水部材であって、屋根板の下方に取付固定される上方固定部と、この上方固定部から屋根板前方へ延出する延出部と、この延出部から建物外壁面へと斜め下方に向って延設される傾斜部と、傾斜部から建物外壁面に沿って上向きに屈曲して延設され、かつ建物外壁面へ近づくに従って急勾配に形成された壁面当接部とを有することを特徴とする。
【００１０】
さらに、本発明の軒下導水部材では、壁面当接部は、先端が下向きに折り返して形成された係合爪を有し、この係合爪は、建物外壁面に突設された係合受部材への取り付けが可能とされていることが好ましい。
【発明の効果】
【００１１】
本発明の軒下導水部材は、上方固定部から屋根板前方へ延出する延出部と、この延出部から建物外壁面へと斜め下方へ延設される傾斜部を有している。このため、屋根板からの雨水を軒下付近の建物外壁面に円滑に導くことができ、建物外壁面を効果的に洗浄することができる。また、雨水は、延出部、傾斜部の外表面を伝って建物外壁面を流下するため、落ち葉などのゴミによって導水が妨げられることがなく、メンテナンスの負担が軽減される。さらに、本発明の軒下導水部材は、シンプルな構成であるため、製造コストを抑制することができる。
【図面の簡単な説明】
【００１２】
【図１】本発明の軒下導水部材の第一の実施形態を例示した取付断面概要図である。
【図２】本発明の軒下導水部材の第一の実施形態を例示した背面斜視図である。
【図３】本発明の軒下導水部材の第二の実施形態を例示した取付断面概要図である。
【図４】（Ａ）（Ｂ）本発明の軒下導水部材のその他の実施形態を例示した側断面概要図である。
【図５】従来の建物の軒下の状態を例示した側断面概要図である。
【発明を実施するための形態】
【００１３】
図１は、本発明の軒下導水部材の第一の実施形態を例示した取付断面概要図である。図２は、本発明の軒下導水部材の第一の実施形態を例示した背面斜視図である。
【００１４】
軒下導水部材１は、建物Ｈの軒下に設置され、屋根板１７からの雨水を建物外壁面Ｗに導くためのものである。軒下導水部材１は、軒下に沿って長尺な部材であり、軒下の長さ（水平方向の長さ）に応じて１または２以上取り付けることができる。軒下導水部材１は、長尺な薄金属板、プラスチック板等で形成することができる。
【００１５】
また、軒下導水部材１は、露出側の外表面Ｓを親水化した金属板、プラスチック板等を使用することもでき、この場合には、より円滑に屋根板１７からの雨水を建物外壁面Ｗに導くことができる。外表面Ｓの親水化は公知の方法で行うことができる。例えば、光触媒や珪素化合物を含有する塗料を金属板、プラスチック板等の表面に塗布し、光触媒層や珪素化合物層を設ける方法等を例示することができる。
【００１６】
軒下導水部材１は、上端に上方固定部２を有している。上方固定部２は、野地材１６と屋根板１７の間に挿入されて固定されている。上方固定部２の取り付けには、ネジや釘などの固定部材を適宜使用することもできる。また、上方固定部２の先端には、折り返し部２aが設けられている。この場合、折り返し部２aの弾性力によって、より安定に上方固定部２を野地材１６と屋根板１７の間に取り付けることができる。
【００１７】
そして、この上方固定部２からは、屋根板１７前方へ延出する延出部３が設けられ、この延出部３からは、建物外壁面Ｗへと斜め下方に向って傾斜部４が延設されている。さらに、この傾斜部４は、建物外壁面Ｗに達した箇所において、建物外壁面Ｗに沿って上向きに屈曲する壁面当接部５が延設されている。なお、壁面当接部５は、建物外壁面Ｗに沿って下向きに屈曲して延設してもよいが、見栄え、雨仕舞等の観点から上向きに屈曲して延設するのが好ましい。
【００１８】
延出部３は、屋根板１７より前方に延出していることによって、図１の矢印に例示するように、屋根板１７から下方に落ちた雨水を受け、確実に傾斜部４へと導水することができる。さらに、傾斜部４に沿って伝った雨水は、確実に建物外壁面Ｗへと導かれ、建物外壁面Ｗへと流下する。このため、軒下付近の建物外壁面Ｗを効果的に洗浄することができるとともに、雨水の蒸発によって建物外壁面Ｗの冷却も可能である。
【００１９】
また、傾斜部４は、建物外壁面Ｗへ近づくに従って急勾配に形成されている。これによって、より確実な建物外壁面Ｗへの導水を可能としている。
【００２０】
このように、軒下導水部材１は、雨水が延出部３、傾斜部４の外表面を伝って、さらに、建物外壁面Ｗを伝って流下するため、落ち葉等によって、延出部３、傾斜部４における導水が妨げられることがない。このため、軒下導水部材１設置後のメンテナンスの負担が軽減される。
【００２１】
また、壁面当接部５の先端には、建物外壁面Ｗへの取り付けを可能とする係合爪６が設けられている。係合爪６は、上向きに延設された壁面当接部５の先端を下向きに折り返した形状とすることができる。この場合、建物外壁面Ｗには、予め、断面Ｊ字状の係合受部材７をネジや釘等の固定部材Ｔで所定位置に取付固定しておき、この係合受部材７に係合爪６を係合することで壁面当接部５を建物外壁面Ｗへ取り付けることができる。なお、係合受部材７には、係合爪６との係合を外れ難くするためのカバー片７aが設けられている。
【００２２】
このように、軒下導水部材１は、上端の上方固定部２と、下端の壁面当接部５先端の係合爪６とによって取付固定されるため、軒下に安定に設置することができる。また、壁面当接部５は、傾斜部４から建物外壁面Ｗに沿って上向きに延設されている場合には、設置後の軒下導水部材１は、壁面当接部５が外部に露出することがなく、建物Ｈの見栄え、雨仕舞などが良好に維持される。
【００２３】
さらに、軒下導水部材１は、シンプルな構成（上方固定部２、延出部３、傾斜部４、壁面当接部５）であるため、製造コストを安価に抑えることができる。
【００２４】
また、図５に例示したような従来の形態や、特許文献２の雨樋装置では、軒樋１３は鼻板１１に取り付けられている（図５）。さらに、特許文献２の雨樋装置では、導水部は、軒天井と一体に設けられている。
【００２５】
一方、本発明におけるこの実施形態では、上記のとおり、軒下導水部材１は、上方固定部２が野地材１６と屋根板１７の間に挿入されて固定され、ここから延出部３および傾斜部４が延設され、建物外壁面Ｗへの導水を可能としている（図１）。すなわち、この実施形態では、軒樋が不要であるとともに、軒下導水部材１を取り付けるための鼻板１１と軒天井１２が不要になる。したがって、鼻板１１と軒天井１２の配設を省略することができ、鼻板１１と軒天井１２の材料、施工コストを抑制することができる。また、鼻板１１と軒天井１２が不要であるため、建物の設計自由度も大きくなる。
【００２６】
図３は、本発明の軒下導水部材の第二の実施形態を例示した取付断面概要図である。第二の実施形態において、第一の実施形態と同一の部分には同一の符号を付し、以下では説明を省略する。
【００２７】
軒下導水部材１の上方固定部２は、延出部３の上方で下向きに屈曲成形され、鼻板１１と対峙している。そして、上方固定部２は、ネジや釘等の固定部材Ｔによって鼻板１１へ固定されている。この形態の場合、野地材１６と屋根板１７の間に水切り部材１８を挿入固定することができ、屋根板１７からの雨水を、水切り部材１８を介して下方の軒下導水部材１の延出部３に導くことができる。延出部３からの雨水は、第一の実施形態と同様に、傾斜部４を伝って建物外壁面Ｗに導水されるため（図中矢印）、軒下の建物外壁面Ｗを効果的には洗浄することができる。
【００２８】
この実施形態においても、落ち葉等によって、延出部３、傾斜部４における導水が妨げられることがないため、軒下導水部材１設置後のメンテナンスの負担が軽減される。また、軒下導水部材１は、シンプルな構成であるため、製造コストを安価に抑えることができる。さらに、この実施形態は、野地材１６と屋根板１７の間に上方固定部２を取り付け難い場合や、既存の鼻板１１を利用したい場合に有効である。
【００２９】
なお、本発明の軒下導水部材は、以上の実施形態に限定されるものではない。例えば、軒下導水部材は、製造コストの観点から、上方固定部２、延出部３、傾斜部４、壁面当接部５が一体成形されていることが好ましいが、分割された部材を組み立てたものであってもよい。
【００３０】
また、延出部、傾斜部は滑らかな曲面形状である必要はなく、図４（Ａ）（Ｂ）に例示したように、延出部３および傾斜部４の各面が直板状であってもよい。この場合、延出部３の屈曲箇所３aは、緩やかに屈曲していることが好ましい。具体的には、屈曲半径Ｒが２以上あることが望ましい。これによって、上方固定部２からの雨水を円滑に建物外壁面へと導水することができる。
【００３１】
さらに、図４（Ａ）に例示した形態では、建物外壁面側の傾斜部４は、延出部３側の傾斜部４よりも急勾配に設計されている。この形態では、建物外壁面側の傾斜部４と壁面当接部５とのなす角θは４５°以下であることが好ましい。これによって、一層確実に建物外壁面へと導水することができる。
また、図４（Ｂ）に例示した形態では、傾斜部４の傾斜は一定である。この場合も傾斜部４と壁面当接部５とのなす角θは４５°以下であることが好ましい。これによって、一層確実に建物外壁面へと導水することができる。
【符号の説明】
【００３２】
１  軒下導水部材
２  上方固定部
３  延出部
４  傾斜部
５  壁面当接部
６  係合爪
７  係合受部材
１７  屋根板
Ｗ  建物外壁面
【図１】
0005615617.tif 000002
【図２】
0005615617.tif 000003
【図３】
0005615617.tif 000004
【図４】
0005615617.tif 000005
【図５】
0005615617.tif 000006